(57)【要約】【課題】  顧客から依頼のあった原画を編集して印刷を行う画像作成装置を提供する。【解決手段】  画像作成装置１１の管理コンピュータ１２は、スキャナ１３により取り込んだ顧客からの原画を画像データ記録部２２に記録し、通信インタフェース１５及びインターネットＩを介して、画像編集者端末１６に画像データを送信する。管理コンピュータ１２は、前記画像データを基に作成された一以上の編集済画像データの各々に対応した顧客確認用画像データを、画像編集者端末１６から受信する。管理コンピュータ１２は、顧客端末１７に前記顧客確認用画像データの閲覧を促す通知を送信し、前記顧客確認用画像データのうち購入選択がなされたものに関する情報を顧客端末１７から受信する。管理コンピュータ１２は、購入選択がなされた前記顧客確認用画像データに対応する前記編集済画像データを画像編集者端末から受信してプリンタ１４に印刷させる。【選択図】      図１
0003116326.tif 000002
【実用新案登録請求の範囲】
【請求項１】
管理コンピュータと画像取込手段と印刷手段と通信手段とを備え、同通信手段を介して画像編集者端末及び顧客端末に接続可能な画像作成装置であって、
前記管理コンピュータが、
前記画像取込手段により取り込んだ顧客からの原画を画像データとして記録することと、
前記通信手段を介して、前記画像編集者端末に前記画像データを送信することと、
前記通信手段を介して、前記画像データを基に作成された一以上の編集済画像データの各々に対応した顧客確認用画像データを、前記画像編集者端末から受信することと、
前記通信手段を介して、顧客端末に前記顧客確認用画像データの閲覧を促す通知を送信することと、
前記通信手段を介して、前記顧客確認用画像データのうち購入選択がなされたものに関する情報を前記顧客端末から受信することと、
前記通信手段を介して、購入選択がなされた前記顧客確認用画像データに対応する前記編集済画像データを前記画像編集者端末から受信することと、
前記受信した編集済画像データを前記印刷手段に印刷させること
を実行することを特徴とする画像作成装置。
【請求項２】
前記顧客確認用画像データは、前記編集済画像データとフレーム画像データとが合成されるとともに、前記編集済画像データよりデータ容量が小さいサムネイル画像であることを特徴とする請求項１に記載の画像作成装置。
【請求項３】
前記管理コンピュータは、購入選択がされた前記編集済画像データについて課金処理がなされた後に前記印刷手段に印刷させることを特徴とする請求項１又は２に記載の画像作成装置。
【考案の詳細な説明】
【技術分野】
【０００１】
本考案は、顧客から依頼のあった原画を編集して印刷を行う画像作成装置に関する。
【背景技術】
【０００２】
子どもが画用紙などに描いた絵は、家の壁などに貼られることがあるが、長期間貼られることはあまりなく、子どもが成長するに従って、剥がされたり新しいものに貼り替えられたりすることが通常である。また、このような絵は、鑑賞用の絵画ほどの完成度を有していなかったり、家のインテリアに調和しないなどの理由から壁に貼られないこともある。その一方で、親には子どもの成長の記録又は思い出として、何らかの形で子どもの絵を残しておきたいという要望もある。
【考案の開示】
【考案が解決しようとする課題】
【０００３】
上記要望に対応するために、子どもの絵をモチーフにして、プロの芸術家が鑑賞用の作品に仕上げることが考えられる。ところが、従来、そのようなことを行う装置等は存在しなかった。
【０００４】
本考案は、顧客から依頼のあった原画を編集して印刷を行う画像作成装置を提供することを目的とする。
【課題を解決するための手段】
【０００５】
請求項１に記載の考案は、管理コンピュータと画像取込手段と印刷手段と通信手段とを備え、同通信手段を介して画像編集者端末及び顧客端末に接続可能な画像作成装置であって、前記管理コンピュータが、前記画像取込手段により取り込んだ顧客からの原画を画像データとして記録することと、前記通信手段を介して、前記画像編集者端末に前記画像データを送信することと、前記通信手段を介して、前記画像データを基に作成された一以上の編集済画像データの各々に対応した顧客確認用画像データを、前記画像編集者端末から受信することと、前記通信手段を介して、顧客端末に前記顧客確認用画像データの閲覧を促す通知を送信することと、前記通信手段を介して、前記顧客確認用画像データのうち購入選択がなされたものに関する情報を前記顧客端末から受信することと、前記通信手段を介して、購入選択がなされた前記顧客確認用画像データに対応する前記編集済画像データを前記画像編集者端末から受信することと、前記受信した編集済画像データを前記印刷手段に印刷させることを実行することを要旨とする。
【０００６】
この構成によれば、原画を取込み、画像編集者端末へ画像データを送信し、顧客確認用画像データを顧客端末に閲覧及び購入選択させ、編集済み画像データを印刷するという一連の処理を画像作成装置が一括して行うことができる。また、顧客確認用画像データにより、顧客に閲覧及び購入選択をさせるため、顧客の意思を確認した上で編集済み画像データを印刷することができる。
【０００７】
請求項２に記載の考案は、請求項１に記載の画像作成装置において、前記顧客確認用画像データは、前記編集済画像データとフレーム画像データとが合成されるとともに、前記編集済画像データよりデータ容量が小さいサムネイル画像であることを要旨とする。
【０００８】
この構成によれば、顧客確認用画像データは、編集済画像データとフレーム画像データとが合成されたものであるため、実際に印刷された画像により近いイメージで、顧客が画像の購入を選択することができる。また、顧客確認用画像データは、編集済画像データよりデータ容量が小さいサムネイル画像であるため、顧客が閲覧する際に、顧客端末への負荷を軽減できる。また、編集済画像データそのものを閲覧させるものではないので、顧客端末により編集済画像データがダウンロードされてしまうことを防止できる。
【０００９】
請求項３に記載の考案は、請求項１又は２に記載の画像作成装置において、前記管理コンピュータは、購入選択がされた前記編集済画像データについて課金処理がなされた後に前記印刷手段に印刷させることを要旨とする。
【００１０】
この構成によれば、課金処理がなされた後に印刷処理がなされるため、顧客の購入の意思を確実に確認した状態で印刷処理を実行することができる。
【考案の効果】
【００１１】
本考案の画像作成装置によれば、顧客から依頼のあった原画を、画像編集者に編集させ、その編集内容を顧客に閲覧させた上で、印刷を行うことができる。
【考案を実施するための最良の形態】
【００１２】
以下、本考案を具体化した画像作成装置の一実施形態を図１〜図３に従って説明する。本実施形態では、子どもが描いた絵をプロのアーティストが編集して、鑑賞用の絵画として完成度の高い画像を制作して提供する画像作成装置として説明する。なお、この画像作成サービスは、画像作成装置１１を管理する管理会社によって提供されるものとする。
【００１３】
図１に示すように、本実施形態では、画像作成装置１１が、インターネットＩを介して画像編集者端末１６及び顧客端末１７と接続されている。画像作成装置１１は、画像作成の管理を行うコンピュータシステムである。この画像作成装置１１は、インターネットＩを介して画像編集者端末１６及び顧客端末１７との間でのデータ送受信や、各種情報に関するデータの処理等を行う。また、画像作成装置１１は、管理コンピュータ１２を備えている。管理コンピュータ１２は、画像取込手段としてのスキャナ１３及び印刷手段としてのプリンタ１４と接続されている。また、管理コンピュータ１２は、インターネットＩと接続するための通信インタフェース１５を備えている。
【００１４】
画像編集者端末１６は、プロのグラフィック・アーティスト等の画像編集者が使用するコンピュータ端末である。顧客端末１７は、このサービスを利用する顧客が使用するコンピュータ端末である。画像編集者端末１６及び顧客端末１７は、インターネットＩを介してデータを送信する機能や、受信したデータを表示する機能等をそれぞれ有する。画像編集者端末１６及び顧客端末１７は、図示しないＣＰＵ、ＲＡＭ、ＲＯＭの他、キーボード、マウス等の入力手段、ディスプレイ等の出力手段、モデム等の通信手段等をそれぞれ備えている。また、画像編集者端末１６には、管理コンピュータ１２から受信した画像データを編集する画像編集手段としての画像編集ソフトを備えている。
【００１５】
管理コンピュータ１２には、顧客情報記録部２１、画像データ記録部２２、確認用データ記録部２３及び編集済データ記録部２４がそれぞれ接続されている。
顧客情報記録部２１には、画像作成装置１１によるサービスを利用する顧客の情報として、氏名、住所、電子メールアドレス、ログイン名、パスワード、注文情報及びサービス利用履歴等が、顧客毎に記録されている。画像データ記録部２２には、スキャナ１３によって取り込まれた顧客からの原画が画像データとして登録される。確認用データ記録部２３には、画像編集者端末１６から送信された顧客確認用画像データが、顧客情報に関連付けられて登録される。編集済データ記録部２４には、画像編集者端末１６から送信された編集済画像データが、顧客情報に関連付けられて登録される。
【００１６】
次に、図２及び図３により、画像作成装置１１による画像作成処理手順を説明する。
まず、画像作成装置１１による画像作成サービスを受けようとする顧客は、顧客端末１７からインターネットＩを介して、管理会社が提供するウェブサイトにアクセスする。そして、顧客は、図示しない申し込みフォームに顧客情報（氏名、住所、電子メールアドレス、ログイン名、パスワード及び注文情報等）を入力して、管理コンピュータ１２に送信する（ステップＳ１１）。管理コンピュータ１２は受信した顧客情報を顧客情報記録部２１に記録する。その後、顧客は子どもの描いた絵である原画３１（図３参照）を、管理会社に送付する。
【００１７】
管理会社では、受け取った原画をスキャナ１３によって取り込み、画像データ３２として画像データ記録部２２に記録する（ステップＳ１２）。そして、管理コンピュータ１２は、画像データ３２を画像編集者端末１６に送信する（ステップＳ１３）。画像編集者は、画像データ３２を受信すると、画像編集者端末１６の画像編集ソフト等を使用して画像データ３２の編集作業を行う。編集作業としては、原画の線や形状の一部又は全部を適宜抽出し、配置変更や色付け等がされるが、原画のイメージを損ねないようにしつつ、鑑賞用の絵画として完成度の高い画像が制作される。本実施形態では、画像編集者が３種類の編集済画像データを作成する（ステップＳ１４）。そして、画像編集者は、これらの編集済画像データの各々に対応した顧客確認用画像データ３３，３４，３５を作成する（ステップＳ１５）。顧客確認用画像データ３３，３４，３５は、編集済画像データとフレーム画像データとが合成されるとともに、編集済画像データよりデータ容量が小さいサムネイル画像である。なお、フレーム画像データは、顧客に対して最終商品形態をイメージしやすくするため、顧客確認用画像データの外周に合成される画像データである。本実施形態では、２種類のフレーム画像データを使用している。画像編集者は、画像編集者端末１６から、顧客確認用画像データ３３，３４，３５を管理コンピュータ１２に送信する。（ステップＳ１６）。管理コンピュータ１２は、顧客確認用画像データ３３，３４，３５を確認用データ記録部２３に記録する（ステップＳ１７）。
【００１８】
次に、管理コンピュータ１２は、顧客端末１７に対して、顧客確認用画像データ３３，３４，３５の閲覧が可能である旨の通知を電子メールにて行う（ステップＳ１８）。この電子メールでの通知は、顧客情報記録部２１に記録された電子メールアドレスが抽出されることにより行われる。顧客は、この電子メールに記載されたウェブサイトの確認用ページのアドレスにアクセスすることで、顧客確認用画像データ３３，３４，３５を確認し、その中から購入希望の画像を選択することにより決定することができる（ステップＳ１９）。この購入画像の決定は、前記確認用ページに設けられた購入選択欄による選択、又は前記電子メールに対する返信によって行われる。
【００１９】
本実施形態では、顧客が顧客確認用画像データ３５を選択したとする。次に、選択された画像についての課金処理が、管理コンピュータ１２と顧客端末１７との間で行われる（ステップＳ２０）。この課金処理としては、例えばクレジットカードによる決済であるが、電子マネー決済、銀行振り込み等その他の方法でもよい。課金処理終了後に、管理コンピュータ１２は、画像編集者端末１６に対して、顧客確認用画像データ３５に対応する編集済データ３６の送信要求をしてこれを受信し、編集済データ記録部２４に記録する（ステップＳ２１）。次に、管理コンピュータ１２は、編集済データ３６をプリンタ１４にて印刷する（ステップＳ２２）。この後、印刷された画像は、顧客確認用画像データ３５で選択されたフレーム画像データに対応するフレームに収納されて、顧客に送付される。
【００２０】
上記実施形態の画像作成装置１１によれば、以下のような効果を得ることができる。
（１）上記実施形態の画像作成装置１１では、原画を取込み、画像編集者端末１６へ画像データを送信し、顧客確認用画像データを顧客端末１７に閲覧及び購入選択させ、編集済み画像データを印刷するという一連の処理を画像作成装置１１が一括して行うことができる。また、顧客確認用画像データ３３，３４，３５により、顧客に閲覧及び購入選択をさせるため、顧客の意思を確認した上で編集済み画像データを印刷することができる。本実施形態では、顧客確認用画像データを複数提供することで、顧客の選択の幅が広がるため、顧客にとって利用しやすい画像作成サービスを提供することができる。
【００２１】
（２）上記実施形態では、顧客確認用画像データ３３，３４，３５は、編集済画像データとフレーム画像データとが合成されるとともに、編集済画像データよりデータ容量が小さいサムネイル画像である。従って、顧客確認用画像データは、編集済画像データとフレーム画像データとが合成されたものであるため、実際に印刷された画像により近いイメージで、顧客が画像の購入を選択することができる。また、顧客確認用画像データ３３，３４，３５は、編集済画像データよりデータ容量が小さいサムネイル画像であるため、顧客が閲覧する際に、顧客端末への負荷を軽減できる。また、編集済画像データそのものを閲覧させるものではないので、顧客端末により編集済画像データがダウンロードされてしまうことを防止できる。
【００２２】
（３）上記実施形態では、管理コンピュータ１２は、購入選択がされた編集済画像データについて課金処理がなされた後にプリンタ１４に印刷させる。従って、課金処理がなされた後に印刷処理がなされるため、顧客の購入の意思を確実に確認した状態で印刷処理を実行することができる。
【００２３】
なお、本実施形態は以下のように変更してもよい。
○本実施形態では、スキャナ１３により原画の取込を行ったが、顧客端末１７から原画を取り込んだ画像データを、インターネットＩを介して管理コンピュータ１２が受信するようにしてもよい。
【００２４】
○本実施形態では、データ等の通信にインターネットＩを使用したが、その他のネットワークを使用してもよく、画像作成装置１１と画像編集者端末１６との間、又は画像作成装置１１と顧客端末１７との間を専用回線で接続するようにしてもよい。
【００２５】
○顧客確認用画像データの閲覧を促す通知として、顧客端末１７に対して、顧客確認用画像データ３３，３４，３５が添付された電子メールを行うことによって行うこととしてもよい。
【００２６】
○本実施形態では、顧客確認用画像データを３つ作成するようにしたが、この数は１以上であればいくつでもよい。
【図面の簡単な説明】
【００２７】
【図１】本考案の一実施形態のシステム概略図。
【図２】同実施形態の処理手順の説明図。
【図３】画像作成の手順を示す説明図。
【符号の説明】
【００２８】
１１…画像作成装置、１２…管理コンピュータ、１３…画像取込手段としてのスキャナ１４…印刷手段としてのプリンタ、１５…通信手段としての通信インタフェース、１６…画像編集者端末、１７…顧客端末、３１…原画、３２…画像データ、３３，３４，３５…顧客確認用画像データ、３６…編集済画像データ。
【図１】
0003116326.tif 000003
【図２】
0003116326.tif 000004
【図３】
0003116326.tif 000005